(57)【要約】【課題】安全で便利に使用できる清潔装置を提供する。【解決手段】清潔液瓶１２は、瓶身１２１及びプッシュ部１２２を備えている。瓶身１２１の内部には清潔液を充填可能であり、プッシュ部１２２がプッシュされると、瓶身１２１またはプッシュ部１２２に設けられているスプレー口１２３が開き、瓶身１２１の内部の清潔液が外へ放出される。拭き取り部材１３は、底座１３２を含み、底座１３２には第一開口１３３及び少なくとも一つの接合部１３１が設けられている。接合部１３１は直接または間接的に底座１３２と清潔液瓶１２とを一体に結合し、かつ第一開口１３３はスプレー口１２３に対応している。底座１３２の接合部１３１と反対側の表面には順番に多孔状弾性体１３４及び拭き取り層１３５が設けられ、拭き取り層１３５は多孔状弾性体１３４の底座１３２と反対側の表面に覆い被さる。【選択図】図１
0003162646.tif 000002
【実用新案登録請求の範囲】
【請求項１】
瓶身及びプッシュ部が連接されてなり、前記瓶身の内部には清潔液を充填可能であり、前記プッシュ部がプッシュされると、前記瓶身または前記プッシュ部に設けられている液体釈放口が開き、前記瓶身の内部の清潔液を放出する清潔液瓶と、
底座を含み、前記底座には第一開口及び少なくとも一つの接合部が設けられ、前記接合部は直接または間接的に前記底座と前記清潔液瓶とを一体に結合し、かつ前記第一開口は前記液体釈放口の位置に対応し、前記底座の前記接合部と反対側の表面には順番に多孔状弾性体及び拭き取り層が設けられ、前記拭き取り層が前記多孔状弾性体の前記底座と反対側の表面に覆い被さる拭き取り部材と、
を備えることを特徴とする清潔装置。
【請求項２】
前記接合部は、前記清潔液瓶の前記液体釈放口に対応する位置に前記第一開口を位置決めしていることを特徴とする請求項１記載の清潔装置。
【請求項３】
更に殻体を備え、前記殻体は、第一収納空間及び第二収納空間を有し、前記清潔液瓶は前記第一収納空間に収納され、かつ前記プッシュ部の一部は前記殻体の外へ突き出し、前記底座は前記第二収納空間に設けられ、それによって、前記殻体は前記底座と前記清潔液瓶とを一体に結合し、かつ前記多孔状弾性体及び前記拭き取り層は前記第二収納空間の外側に露出することを特徴とする請求項１記載の清潔装置。
【請求項４】
更に殻体を備え、前記殻体は、第一収納空間及び第二収納空間を有し、前記清潔液瓶は前記第一収納空間に収納され、かつ前記プッシュ部の一部は前記殻体の外へ突き出し、前記接合部は前記第二収納空間に設けられ、それによって、前記殻体は前記底座と前記清潔液瓶とを一体に結合し、かつ前記多孔状弾性体及び前記拭き取り層は前記第二収納空間の外側に露出することを特徴とする請求項１記載の清潔装置。
【請求項５】
前記殻体には第二開口が設けられ、前記殻体が前記底座と前記清潔液瓶とを一体に結合している状態に於いて、前記第二開口は前記第一開口と前記液体釈放口とに対応することを特徴とする請求項３または請求項４記載の清潔装置。
【請求項６】
前記多孔状弾性体は、吸水性を備えるスポンジまたはフォームラバーの材質から構成されていることを特徴とする請求項５記載の清潔装置。
【請求項７】
前記多孔状弾性体の前記プッシュ部の前記液体釈放口に対応する位置には凹槽または孔が設けられていることを特徴とする請求項５記載の清潔装置。
【考案の詳細な説明】
【技術分野】
【０００１】
本考案は、清潔装置に関するもので、特に、拭き取り部材と清潔液の瓶を一体に整合した清潔装置に関する。使用者は、清潔液を拭き取り部材にスプレー（spray）し、同時に、直ちに拭き取り部材をもって器物の表面に対して拭き取りを行う。使用者が清潔装置を使って器物表面の汚れを拭き取ることが便利になる。
【背景技術】
【０００２】
これまで、人々が器物を清潔にする場合、その多くは、清潔液の瓶を手で持ち、先ず清潔にしたい器物に清潔液をスプレーする。そして、他に布巾を取って器物の表面を拭き取り、器物に対して清潔にするが、ここでは、液晶平面ディスプレー（display）（以下、「ディスプレー」と称する）の清潔作業を例として説明する。先ず、使用者は、片手でディスプレーを支え、別の手で清潔液の瓶を持ち、並びに、清潔液の瓶でディスプレーの表面に対して清潔液をスプレーする。このとき、ディスプレー表面の清潔液は重力の影響を受けて下へ流れるので、使用者は直ちに清潔液の瓶を近くに置き、迅速に清潔布巾を取り出し、清潔液に覆われたディスプレーの表面に対して拭き取りを行う。並びに、余った清潔液を吸い取り、清潔液がディスプレー表面の隙間（例えば、四周の枠）から下へディスプレーの内部に流れ込まないようにする。ところが、使用者が清潔液を完全に吸い取ることが間に合わないと、清潔液はディスプレーの隙間から内部に流れ込み、ディスプレー内部の各部材（例えば、回路板、電極または発光ダイオード（diode）等）が清潔液に接触して侵食され、または、短絡が発生しやすくなる。更に進んで、ディスプレーの故障または損傷の問題を導き、使用者は極めて大きな損失を受ける。
このほか、清潔作業の過程に於いて、使用者は、常に清潔液の瓶を身近で取りやすい位置に置くので、使用者がその置き場所に置いた瓶を不注意で蹴り倒しまたは押し倒し、環境を汚してしまう。かつ子供がいる場合は、清潔液の瓶を取って間違ってその中の清潔液を飲むことがあり、極めて危険である。
【図面の簡単な説明】
【０００３】
【図１】本考案の第一実施形態による清潔装置を示す分解斜視図である。
【図２】本考案の第一実施形態による清潔装置を示す断面図である。
【図３】本考案の第二実施形態による清潔装置を示す断面図である。
【図４】本考案の第三実施形態による清潔装置を示す断面図である。
【考案の概要】
【考案が解決しようとする課題】
【０００４】
上述から分かるように、従来の清潔方法及び使用される清潔工具（例えば、清潔液瓶及び清潔布巾）は、確かに多くの欠点が存在する。使用時に於いて、使用者の迷惑及び清潔効果の不良を招くので、清潔液が直接器物の表面にスプレーされることを避けるため、かつ従来の清潔工具は多すぎる清潔液が器物表面の隙間に沿って器物の内部に流れ込みやすく、器物の損傷問題を導くので、それを克服するのが本考案の重要な課題である。
【課題を解決するための手段】
【０００５】
従来の清潔工具は、取り扱い及び収納が不便で、清潔液の瓶が転倒しやすく、かつ過多の清潔液が隙間に沿って器物の内部に流れ込みやすく、器物の故障を招く。更に、子供が取りやすく、間違って洗浄液を飲んでしまう等の多くの欠点があるので、考案者は本考案の清潔装置を開発設計し、本考案によって前述問題を有効に解決する。
【０００６】
本考案は、器物表面の清潔作業に用いられる清潔装置である。清潔装置は、殻体、清潔液瓶及び拭き取り部材を含む。殻体内には第一収納空間が凹入して設けられている。殻体の第一収納空間を形成する内側表面には複数個の接合座が突き出して設けられ、その各接合座内には第二収納空間が設けられている。殻体には孔が設けられ、その孔は第一収納空間に連通している。
清潔液瓶は瓶身とプッシュ（push）可能なプッシュ部が連接している。瓶身内には清潔液を充填することができる。かつプッシュ部にはスプレー口が設けられ、プッシュ部がプッシュされると、瓶身内の清潔液はスプレー口を経て外へ吹き出る。清潔液瓶は第一収納空間内に収納定位され、プッシュ部の一部分は孔を経て殻体の外に突き出て、使用者のプッシュに用いられる。
拭き取り部材は底座を含み、底座には第一開口及び少なくとも一つの接合部が設けられている。第一開口は底座のスプレー口に対応する位置に設けられ、接合部は底座と一体成形されている。その構形は接合座内の第二収納空間の構形と互いに組み合わされ、それによって、接合部は接合座の第二収納空間内に嵌め込まれて定位され、底座と殻体及び清潔液瓶は一体に結合される。かつ底座の接合部と反対側の表面には順番に多孔状弾性体及び拭き取り層が設けられ、多孔状弾性体及び拭き取り層は殻体の外に露出している。多孔状弾性体は吸水性のあるスポンジ（sponge）またはフォームラバー（foam rubber）の材料から構成されている。プッシュ部のスプレー口に対応する位置には凹槽が設けられ（または凹槽を設けない）、または、孔が設けられている。拭き取り層は多孔状弾性体の底座と反対側の表面に覆い被さる。このように、殻体、清潔液瓶及び拭き取り部材が一体に組み付けられると、使用者は、プッシュ部をプッシュすることにより、清潔液は順番にスプレー口及び第一開口を経て凹槽または孔の中にスプレーされる。清潔液は第一開口に対応する多孔状弾性体及び拭き取り層に吸収され、または、孔に対応する拭き取り層に吸収され、並びに、外へ多孔状弾性体及び拭き取り層の対応位置の周縁表面に拡散する。同時に、使用者は、前記拭き取り層をもって直ちに器物の表面（例えば、コンピュータのディスプレー）に対して拭き取りを行うことができる。使用者が拭き取り層を器物の表面に対して作用させる場合、多孔状弾性体中の清潔液は押し絞られて拭き取り層の表面に適量にしみだし、更に、器物の表面の汚れを充分にしみ潤して軟化する。使用者は前記拭き取り層によって充分に軟化した汚れを拭き取り、並びに、拭き取り層及び多孔状弾性体によって器物の表面に残留する清潔液を吸って除き、迅速及び徹底に汚れを清潔にする効果が達成される。
【考案を実施するための形態】
【０００７】
以下、本考案の実施形態を図面を参照して説明する。
（第一実施形態）
本考案の第一実施形態による清潔装置を図１及び図２に示す。本実施形態の清潔装置は、器物表面の汚れの清潔作業に用いられる。図１に示すように、清潔装置１０は、殻体１１、清潔液瓶１２及び拭き取り部材１３を含む。殻体１１内には第一収納空間１１２が凹入して設けられ、殻体１１の第一収納空間１１２を形成する内側表面には複数個の接合座１１１が突き出して設けられている。各接合座１１１内には第二収納空間１１４が設けられ、かつ殻体１１には孔１１３が設けられ、孔１１３は第一収納空間１１２に連通している。
清潔液瓶１２は瓶身１２１とプッシュ可能なプッシュ部１２２が連接してなり、瓶身１２１内には清潔液を充填することができる。かつプッシュ部１２２にはスプレー口１２３が設けられ、プッシュ部１２２がプッシュされると、瓶身１２１内の清潔液はスプレー口１２３を経て外へ吹き出る。清潔液瓶１２は第一収納空間１１２内に収納、位置決めされ、そのために、プッシュ部１２２の一部分は孔１１３を経て殻体１１の外に突き出し、使用者のプッシュに用いられる。
【０００８】
拭き取り部材１３は底座１３２を含み、底座１３２には第一開口１３３及び少なくとも一つの接合部１３１が設けられている。第一開口１３３は底座１３２のスプレー口１２３に対応する位置に設けられ、接合部１３１は底座１３２と一体成形されている。かつ接合部１３１の構形は接合座１１１内の第二収納空間１１４の構形と互いに組み合わされ、それによって、接合部１３１は接合座１１１の第二収納空間１１４内に嵌め込まれて定位され、底座１３２と殻体１１及び清潔液瓶１２は一体に結合している。かつ底座１３２の接合部１３１に背向く表面には順番に多孔状弾性体１３４及び拭き取り層１３５が設けられ、多孔状弾性体１３４及び拭き取り層１３５は殻体１１の外に露出している。多孔状弾性体１３４は、吸水性のあるスポンジまたはフォームラバーの材料から構成されている。プッシュ部１２２のスプレー口１２３に対応する位置には孔１３６が設けられている。拭き取り層１３５は、多孔状弾性体１３４の底座１３２と反対側の表面に覆い被さっている。
【０００９】
図１及び図２に示すように、殻体１１、清潔液瓶１２及び拭き取り部材１３が一体に組み付けられると、使用者は、プッシュ部１２２をプッシュすることによって、清潔液を順番にスプレー口１２３及び第一開口１３３を経て孔１３６の中にスプレーされる。清潔液は第一開口１３３に対応する多孔状弾性体１３４及び孔１３６に対応する拭き取り層１３５に吸収され、並びに、清潔液は外へ多孔状弾性体１３４及び拭き取り層１３５の対応位置の周縁表面に拡散する。同時に、使用者は、拭き取り層１３５をもって直ちに器物の表面（例えば、コンピュータのディスプレー）に対して拭き取りを行うことができる。使用者が拭き取り層１３５をもって器物の表面に対して作用力を施した場合、多孔状弾性体１３４中の清潔液は押し絞られて拭き取り層１３５の表面に適量にしみだし、更に、器物の表面の汚を充分にしみ潤して軟化する。使用者は、拭き取り層１３５によって充分に軟化した汚れを拭き取り、並びに、拭き取り層１３５及び多孔状弾性体１３４によって器物の表面に残留する清潔液を吸って除く。それによって、従来の清潔工具の清潔液を直接器物の表面にスプレーし、多すぎる清潔液が器物表面の隙間に沿って器物の内部に流れ込み、器物内部の各部材が清潔液と接触して侵食され、または、短絡が発生し、器物損害の問題を導くようなことが避けられ、迅速かつ徹底的に汚れを清潔にする効果が達成される。また、清潔装置１０は更に蓋１４を含み、蓋１４の一側面には収納槽が設けられ（図面には示されていない）、多孔状弾性体１３４及び拭き取り層１３５は収納槽内に収納されることができる。このように、使用者が清潔装置１０を使って清潔にする仕事を完了すると、直ちに蓋１４を用いて多孔状弾性体１３４及び拭き取り層１３５を完全に遮蔽し、空気中のほこりが多孔状弾性体１３４及び拭き取り層１３５に付着し、清潔装置１０の清潔効果に影響することが防げられる。このほか、清潔装置１０は更に蓋１５を含み、蓋１５はプッシュ部１２２に覆い被さって殻体１１外の部分から突き出て、それによって、プッシュ部１２２が間違ってプッシュされ、清潔液がスプレー口１２３から殻体１１の外へしみだすことを防ぐ。
このほか、図１に示すように、本実施形態に於いて、拭き取り層１３５は、スポンジ層、棉ねる、紙、羊毛フェルト（felt）、棉布、不織布等材料から構成され、鏡面またはディスプレーのような綿密な器物の表面を拭き取る場合でも、擦り傷にならないので、ここで説明する。
【００１０】
（第二実施形態）
図３に示すように、本考案の第二実施形態による清潔装置２０は、殻体２１、清潔液瓶２２及び拭き取り部材２３を含む。殻体２１内には第一収納空間２１４及び第二収納空間２１２が凹入して設けられ、殻体２１の第二収納空間２１２に対応する内側表面の端縁に近隣する位置には複数個の接合座２１１が突き出して設けられている。第一収納空間２１４と第二収納空間２１２との間には隔板２１５が設けられ、隔板２１５の一側端縁に近隣する位置には第二開口２１６が設けられている。第一収納空間２１４と第二収納空間２１２は第二開口２１６によって互いに連通している。清潔液瓶２２は第一収納空間２１４の中に収納され、プッシュ部２２２の一部分は殻体２１の外に突き出して使用者のプッシュに用いられる。かつプッシュ部２２２のスプレー口２２３は第二開口２１６に対応する位置に定位され、拭き取り部材２３は底座２３２を含む。底座２３２には第一開口２３３及び少なくとも一つの接合部２３１が設けられ（本実施形態に於いて、接合部２３１は嵌め付き部材である）、第一開口２３３は底座２３２のスプレー口２２３及び第二開口２１６に対応する位置に設けられている。接合部２３１は底座２３２と一体成形され、接合部２３１の構形は接合座２１１の凹陥した構形と互いに組み合わされている。それによって、接合部２３１は接合座２１１と互いに嵌め付けられ、かつ第二収納空間２１２内に定位される。更に進んで、底座２３２と殻体２１及び清潔液瓶２２は一体に結合され、かつ底座２３２の接合座２１１と反対側の表面には順番に多孔状弾性体２３４及び拭き取り層２３５が設けられている。多孔状弾性体２３４及び拭き取り層２３５は殻体２１の外に露出し、多孔状弾性体２３４の底座２３２の第一開口２３３に対応する位置には凹槽２３７が設けられている。拭き取り層２３５は、多孔状弾性体２３４の底座２３２と反対側の表面に覆い被さる。このように、殻体２１、清潔液瓶２２及び拭き取り部材２３が一体に組み付けられると、使用者がプッシュ部２２２をプッシュすることにより、清潔液は順番にスプレー口２２３、第二開口２１６及び第一開口２３３を経て凹槽２３７中にスプレーされる。清潔液は凹槽２３７に対応する多孔状弾性体２３４及び拭き取り層２３５に吸収される。並びに、清潔液は外へ多孔状弾性体２３４及び拭き取り層２３５の対応位置の周縁表面に拡散する。同時に、使用者は、拭き取り層２３５をもって直ちに器物の表面に対して拭き取りを行うことができる。
【００１１】
（第三実施形態）
また、図４に示すように、本考案の第三実施形態による清潔装置４０は、清潔液瓶４２及び拭き取り部材４３を含む。清潔液瓶４２は瓶身４２１及びプッシュ部４２４を含み、かつ瓶身４２１及びプッシュ部４２４が連接してなる。瓶身４２１の一端にはプッシュ口４２２が設けられ、他端には液体滴漏口４２３が設けられている。かつ瓶身４２１内には収納空間４２５が設けられ、収納空間４２５は清潔液の充填及びプッシュ部４２４の収納に用いられる。プッシュ部４２４には中柱４２６が設けられ、プッシュ部４２４の一端は中柱４２６の一端に連接固定されている。中柱４２６の他端は瓶身４２１の液体滴漏口４２３を通りぬき、かつ中柱４２６の他端内縁は瓶身４２１の他端外縁に当て付き、更に、液体滴漏口４２３を遮蔽する。中柱４２６には当て板４２７が設けられ、中柱４２６の他端には更にばね４２８が取り付けられている。ばね４２８の一端は当て板４２７のプッシュ部４２４に遠ざかる一側面に当て付けられ、それの他端は瓶身４２１内底部の液体滴漏口４２３に近隣する位置に当て付けられている。拭き取り部材４３は底座４３２を含み、底座４３２には少なくとも一つの第一開口４３３及び接合部４３１が設けられている。第一開口４３３は底座４３２の液体滴漏口４２３に対応する位置に設けられ、接合部４３１は底座４３２と一体成形されている。かつ接合部４３１は液体滴漏口４２３に対応する位置に定位されている（本実施形態に於いて、接合部４３１は複数本の雌ねじであり、かつ瓶身４２１の他端に設けられている雄ねじとの締め付け方式によって瓶身４２１の他端の液体滴漏口４２３に対応する位置に定位される）。それによって、底座４３２と清潔液瓶４２は一体に結合され、かつ底座４３２の接合部４３１に背向く表面には順番に多孔状弾性体４３４及び拭き取り層４３５が設けられている。拭き取り層４３５は多孔状弾性体４３４の底座４３２と反対側の表面に覆い被さる。このように、プッシュ部４２４がプッシュされると、中柱４２６は動かされて下へ移動する。このとき、中柱４２６の当て板４２７はばね４２８自身の応力を克服して、ばね４２８を下へ圧縮し、中柱４２６他端の内縁は瓶身４２１他端の外縁から離れる。更に進んで、液体滴漏口４２３が開くので、収納空間４２５中の清潔液は液体滴漏口４２３を経て流れ出し、かつ液体滴漏口４２３に対応する第一開口４３３を経て多孔状弾性体４３４の表面に流れ出す。清潔液は多孔状弾性体４３４に吸収され、並びに、清潔液は外へ多孔状弾性体４３４及び拭き取り層４３５の対応位置の周縁表面に拡散する。また、プッシュ部４２４がプッシュされないと、中柱４２６の当て板４２７はばね４２８自身の応力の影響を受け、中柱４２６は上へ移動されて元の位置へ戻る。中柱４２６他端の内縁は瓶身４２１他端の外縁に当て付けられ、更に進んで、再び液体滴漏口４２３を遮蔽し、かつ清潔液は流れ出なくなる。
【００１２】
本考案の実用新案登録請求の範囲に於いて、上述した実施形態に称するスプレー口及び液体滴漏口は統一して液体釈放口と称する。このほか、前述実施形態に使用される語彙または説明、例えば、第一開口及び第二開口、凹槽及び孔の設置位置、第一収納空間及び第二収納空間の相対位置等の説明は、本考案の最適の具体的な実施形態だけである。それは本考案の制限と見なすものでなく、およそいかなる本考案の関連領域を熟知する者が、本考案に開示される技術内容によって軽易に思い及べる変化または構造の改修、または、その他構造または装置を用いて実現する同等効果の変化は、すべて本考案の保護範囲から離脱しないものに属するべきである。
【符号の説明】
【００１３】
１０  ・・・清潔装置、
１１  ・・・殻体、
１２  ・・・清潔液瓶、
１３  ・・・拭き取り部材、
１４  ・・・蓋、
１５  ・・・蓋、
２０  ・・・清潔装置、
２１  ・・・殻体、
２２  ・・・清潔液瓶、
２３  ・・・拭き取り部材、
４０  ・・・清潔装置、
４２  ・・・清潔液瓶、
４３  ・・・拭き取り部材、
１１１・・・接合座、
１１２・・・第一収納空間、
１１３・・・孔、
１１４・・・第二収納空間、
１２１・・・瓶身、
１２２・・・プッシュ部、
１２３・・・スプレー口、
１３１・・・接合部、
１３２・・・底座、
１３３・・・第一開口、
１３４・・・多孔状弾性体、
１３５・・・拭き取り層、
１３６・・・孔、
２１１・・・接合座、
２１２・・・第二収納空間、
２１４・・・第一収納空間、
２１５・・・隔て板、
２１６・・・第二開口、
２２２・・・プッシュ部、
２２３・・・スプレー口、
２３１・・・接合部、
２３２・・・底座、
２３３・・・第一開口、
２３４・・・多孔状弾性体、
２３５・・・拭き取り層、
２３７・・・凹槽、
４２１・・・瓶身、
４２２・・・プッシュ口、
４２３・・・液体滴漏口、
４２４・・・プッシュ部、
４２５・・・収納空間、
４２６・・・中柱、
４２７・・・当て板、
４２８・・・ばね、
４３１・・・接合部、
４３２・・・底座、
４３３・・・第一開口、
４３４・・・多孔状弾性体、
４３５・・・拭き取り層
【図１】
0003162646.tif 000003
【図２】
0003162646.tif 000004
【図３】
0003162646.tif 000005
【図４】
0003162646.tif 000006